(57)【特許請求の範囲】
【請求項１】
頭の後頭部および首部に対応する後頭部から連接して両側頭部、前頭部および頂頭部を巻き付けることができるＬ字形状に周囲で溶着した表裏２枚の防水性薄膜フィルムで形成し、かつ、流路形成部によって流路を形成すると共に前記溶着されている周囲において前記流路の入口と出口部分にパイプを接続し、前記入口パイプより熱移動媒体を供給し前記流路を通過させて前記出口パイプより排出することにより頭部を冷加熱し、また、前記流路を形成する前記フィルムの表裏を溶着して複数の円状溶着部を形成して前記フィルムの一部分が膨らみ過ぎないようにし、さらに、前記後頭部、両側頭部、前頭部および頂頭部との各境界部分に形成される前記円状溶着部の数を他の部分より少なく形成して頭部に巻き付けた状態において前記境界部分が丸みを帯びるようにしたことを特徴とする頭部用冷加熱袋体。
【請求項２】
頭の後頭部に対応する後頭部から連接して頂頭部、両側頭部および前頭部を巻き付けることができる形状に周囲で溶着した表裏２枚の防水性薄膜フィルムで形成し、該フィルム内にゲル状の蓄冷剤あるいは蓄熱剤を封入したことを特徴とする請求項１記載の頭部用冷加熱袋体。
【請求項３】
前記後頭部および両側頭部には凸部を形成し、該凸部によって頂頭部を覆うことを特徴とする請求項１記載の頭部用冷加熱袋体。
【請求項４】
前記流路形成部に測定用孔を形成し、頭部に巻き付けた状態において、前記測定用孔から鼓膜体温計を挿入して鼓膜温度が計測できるようにしたことを特徴とする請求項１記載の頭部用冷加熱袋体。
【請求項５】
前記後頭部および右側頭部に形成する凸部の表面と、左側頭部からその凸部に渡る裏面と、左側頭部に連接する前頭部から頂頭部に渡る裏面と、右側頭部に連接する前頭部の下部表面とに面ファスナーを貼着すると共に、前記右側頭部に連接する前頭部の下部裏面にはベルトを取り付け、該ベルト表面に面ファスナーを貼着して、これら面ファスナーにより頭部への巻き付けを可能としたことを特徴とする請求項１記載の頭部用冷加熱袋体。
【請求項６】
前記右側頭部に連接する前頭部の下部表面と、ベルト表面に貼着する面ファスナーは横方向の長さを長く形成したことを特徴とする請求項５記載の頭部用冷加熱袋体。
【請求項７】
前記後頭部の下部には、頭部の後頭部の下部から首部を冷加熱するための凸部が形成されていることを特徴とする請求項１記載の頭部用冷加熱袋体。
【発明の詳細な説明】
【０００１】
【発明の属する技術分野】
本発明は患者の頭部、特に、頭部の大きさが年齢により異なる幼児等の頭部に巻き付けて、冷却あるいは加熱することにより、前記頭部を治療するものであって、詳しくは、冷却あるいは加熱装置によって熱交換した熱移動媒体（例えば、冷却水）を循環させる頭部用冷加熱袋体の改良に関する。
【０００２】
【従来の技術】
従来、例えば、高熱等で頭痛するなどで冷却した方が良い場合には、氷枕や氷嚢を使用し、氷枕で後頭部を氷嚢で前頭部を冷やしていた。
ところで、前記した氷枕や氷嚢にあっては、頭部から発する熱によって暖められ、氷枕と氷嚢を使用しても側頭部の冷却が行えないため熱を下げるのに時間が掛かると共に、所定時間毎に氷を追加したり、冷却水を交換したりするなどの面倒があるといった問題があった。
【０００３】
かかる問題点を解決せんとして本出願人は、特願２０００−００６３４２に、頭の頂部に対応する頂頭部から連接して両側頭部、後頭部、および前頭部を覆う形状に周囲で溶着した表裏２枚の防水性薄膜フィルムで形成し、該フィルム内にゲル状の蓄冷剤あるいは蓄熱剤を封入した頭部用冷加熱袋体を提案している。
【０００４】
また、特開２０００−１３９９８５に、葉っぱ形状の２枚の防水性薄膜フィルムの周囲を溶着等の手段によって一体化し、かつ、流路形成部によって流路を形成し、さらに、前記周囲の前記流路の入口と出口部分にパイプを接続し、前記入口パイプより熱移動媒体を供給し前記流路を通過した前記出口パイプより排出することにより冷加熱するようにした冷加熱用袋体を提案している。
【０００５】
【発明が解決しようとする課題】
これらの頭部用冷加熱袋体は、両側頭部のそれぞれの一辺と前頭部のそれぞれの一辺および前記両側頭部の他のそれぞれの一辺と後頭部のそれぞれの一辺とをゴム等の弾性紐で連結し、かつ、前記両側頭部の下辺に顎紐部を形成して患者の頭部にフィットするようにしたものではあるが、その調節範囲は極めて狭いものであった。
【０００６】
本発明は前記した問題点を解決せんとするもので、その目的とするところは、シートを２枚重ねして流入路と流出路とを形成し、該流路に熱移動媒体を循環させることにより、必要な冷却や加熱時間だけ患部を冷却あるいは加熱することができると共に、頭部の大きさにあわせて調節範囲を広くとった頭部用冷加熱袋体を提供せんとするにある。
【０００７】
【課題を解決するための手段】
本発明の頭部用冷加熱袋体は前記した目的を達成せんとするもので、請求項１の手段は、頭の後頭部および首部に対応する後頭部から連接して両側頭部、前頭部および頂頭部を巻き付けることができるＬ字形状に周囲で溶着した表裏２枚の防水性薄膜フィルムで形成し、かつ、流路形成部によって流路を形成すると共に前記溶着されている周囲において前記流路の入口と出口部分にパイプを接続し、前記入口パイプより熱移動媒体を供給し前記流路を通過させて前記出口パイプより排出することにより頭部を冷加熱し、また、前記流路を形成する前記フィルムの表裏を溶着して複数の円状溶着部を形成して前記フィルムの一部分が膨らみ過ぎないようにし、さらに、前記後頭部、両側頭部、前頭部および頂頭部との各境界部分に形成される前記円状溶着部の数が他の部分より少なく形成して頭部に巻き付けた状態において前記境界部分が丸みを帯びるようにしたことを特徴とする。
【０００８】
請求項２の手段は、前記した請求項１において、頭の後頭部に対応する後頭部から連接して頂頭部、両側頭部および前頭部を巻き付けることができる形状に周囲で溶着した表裏２枚の防水性薄膜フィルムで形成し、該フィルム内にゲル状の蓄冷剤あるいは蓄熱剤を封入したことを特徴とし、請求項３の手段は、前記した請求項１において、前記後頭部および両側頭部には凸部を形成し、該凸部によって頂頭部を覆うことを特徴とする。
【０００９】
請求項４の手段は、前記した請求項１において、前記流路形成部に測定用孔を形成し、頭部に巻き付けた状態において、前記測定用孔から鼓膜体温計を挿入して鼓膜温度が計測できるようにしたことを特徴とする。
【００１０】
請求項５の手段は、前記した請求項１において、前記後頭部および右側頭部に形成する凸部の表面と、左側頭部からその凸部に渡る裏面と、左側頭部に連接する前頭部から頂頭部に渡る裏面と、右側頭部に連接する前頭部の下部表面とに面ファスナーを貼着すると共に、前記右側頭部に連接する前頭部の下部裏面にはベルトを取り付け、該ベルト表面に面ファスナーを貼着して、これら面ファスナーにより頭部への巻き付けを可能としたことを特徴とする。
【００１１】
請求項６の手段は、前記した請求項５において、前記右側頭部に連接する前頭部の下部表面と、ベルト表面に貼着する面ファスナーは横方向の長さを長く形成したことを特徴とし、請求項７の手段は、前記した請求項１において、前記後頭部の下部には、東部の後頭部の下部から首部を冷加熱するための凸部が形成されていることを特徴とする。
【００１２】
【発明の実施の形態】
図１は本発明にかかる頭部用冷加熱袋体の実施の形態を示す展開図、図２乃至図６は本発明にかかる頭部用冷加熱袋体の装着作業における作業状態を示す斜視図を示したものである。
本発明にかかる頭部用冷加熱袋体は、２枚の合成樹脂の薄膜フィルムやゴムの薄膜フィルムからなるフィルム１，２を略Ｌ字形状に裁断したものを、周縁部３と中央部分に設ける流路形成部４とを熱溶着等の手段によって一体化して流路５を形成し、かつ、前記流路５に沿って後述する理由により、多数の円状溶着部６を形成したものである。
【００１３】
なお、前記流路形成部４には鼓膜温度計を挿通するための測定用孔４ａが形成されている。また、後述する後頭部１１、側頭部１２，１３、前頭部１４，１５を分離する部分の円状溶着部６は少なく形成された溶着減少部１５ａとなっており、これにより、頭部に巻き付けた時に、全体が円筒状となるように形成されている。
【００１４】
また、前記フィルム１，２の一端部には凸部７が形成され、該凸部７には２本のパイプ８，９が熱溶着等の手段によって取付けられ、該パイプ８，９の出口側は流入路と流出路とを分離する分離部１０を貫いて流路５に開口されている。
【００１５】
さらに詳しく説明すれば、本発明にかかる頭部用冷加熱袋体は、頭部に巻き付けた状態において、頭部の後頭部に位置する後頭部１１と、該後頭部１１から延長された側頭に位置する側頭部１２，１３と、該側頭部１２，１３から延長された前頭に位置する前頭部１４，１５とから構成され、前記前頭部１５は上部に頭部の頂頭に位置する頂頭部１５ａが形成されている。なお、後頭部１１の下部には、頭部の後頭部の下部を冷加熱するための凸部１１ａが形成されている。
【００１６】
また、前記後頭部１１、側頭部１２，１３および前頭部１５の上部には、凸部１１ｂ，１２ａ，１３ａ，頂頭部１５ａが設けられている。なお、凸部１１ｂ，１２ａ，１３ａは、単に患者の頂頭部を覆うために設けられたものであるため、流路５は形成されていない。
【００１７】
また、凸部１１ｂ，１２ａの表面と、側頭部１３および凸部１３ａに渡る裏面と、前頭部１４の下部表面と、前頭部１５および頂頭部１５ａに渡る裏面とには面ファスナー１１ｃ，１２ｂ，１３ｂ，１４ａ，１５ｂが貼着されている。また、前頭部１４の下部裏面にはベルト１６が取付けられ、該ベルトの表面には面ファスナー１６ａが貼着されている。なお、面ファスナー１４ａ，１６ａは、その横方向の長さが長く形成されている。これは、頭部用冷加熱袋体を頭部に巻き付けた際に、頭部の大きさにあわせて広範囲で調節を可能とするためである。
【００１８】
さらに、上述したように、前記流路５には円状溶着部６が熱溶着等の手段を用いて形成されている。これは、熱移動媒体が流路５を流れる際に、該流路５が熱移動媒体の圧力によって膨らみ過ぎないようにするために形成したものである。
【００１９】
また、前記パイプ８，９には冷加熱装置（図示せず。）が接続され、冷加熱装置から供給される熱移動媒体を循環させることにより、常時、頭部を冷却あるいは加熱することがで  きるようになっている。なお、パイプ８から熱移動媒体を供給し、かつ、パイプ９から排出される熱移動媒体を再度加熱あるいは冷却して循環させるための冷加熱装置としては、特開２０００−３９８２７２に示すような熱移動体循環装置を用いるが、その説明は省略する。
【００２０】
次に、本発明にかかる頭部用冷加熱袋体の装着作業について図２乃至図６を用いて説明する。
まず、図２に示すように後頭部に後頭部１１を当て、図３に示すように側頭部１３を折り曲げ、続けて、図４に示すように側頭部１２を折り曲げる。そして、図５に示すように前頭部１５を折り曲げると共に、頂頭部１５ａを折り曲げ面ファスナー１５ｂに凸部１１ｂの面ファスナー１１ｃを接着させる。これにより、熱移動媒体が移動する頂頭部１５ａは直接患者の頂頭部に接することとなる。
【００２１】
次いで、側頭部１３の突部１３ａを折り曲げた後に、側頭部１２の突部１２ａを折り曲げて面ファスナー１３ｂに面ファスナー１２ｂを接着することにより、患者の頂頭部全体が覆われることとなる。なお、作図上、角張った状態で示したが、実際には後頭部１１、側頭部１２，１３、前頭部１４，１５を分離する境界部分の円状溶着部６は少なくして溶着減少部５ａとしたので、全体として円筒状となるものである。
【００２２】
また、装着した状態において、測定用孔４ａが患者の耳の位置と対応した状態となるので、該測定用孔４ａから鼓膜温度計を挿入して鼓膜温度を計測することが可能となる。さらに、装着した状態において、面ファスナー１５ｂと面ファスナー１１ｃおよび面ファスナー１３ｂと面ファスナー１２ｂとの接着を解除して、前頭部および頂頭部を露出させることにより、幹部の計測、例えば、エコー法による血流測定を行うことができる。
【００２３】
そして、図６に示すように、前頭部１４を折り曲げて頭部に巻き付けて面ファスナー１４ａ，１５ｂを接着すると共に、ベルト１６を巻き付けて面ファスナー１３ｂ，１６ａを接着する。この際、面ファスナー１４ａ，１６ａは横方向の長さを長く形成しているため、頭部の大きさにあわせて広範囲な調節が可能となる。
【００２４】
このようにして装着した本発明にかかる頭部用冷加熱袋体は、特開２０００−１３９９８５と同様にパイプ８から熱移動媒体を供給し、かつ、パイプ９から排出される熱移動媒体を再度加熱あるいは冷却して循環させることにより、常時、冷却あるいは加熱された熱移動媒体によって、頭部を冷却あるいは加熱することができる。
【００２５】
なお、上記実施形態においては、熱移動媒体によって頭部を冷却あるいは加熱する手段を用いたが、本発明は何らこれに限定されず、特開２０００−００６３４２のように、内部に蓄冷剤あるいは蓄熱剤を充填し、頭部を冷却あるいは加熱するようにしてもよい。
【００２６】
【発明の効果】
本発明は前記したように、患者の頭部に巻付けるのに適した形状の２枚の防水性薄膜フィルムの周囲および流路を形成するための流路形成部を溶着等の手段で接着し、前記流路に熱移動媒体を循環させるようにしたので、常時、冷却したり加熱したりすることができ、従来のように水や温水の交換の必要がないものである。
【００２７】
また、フィルムは複数箇所で表裏面が円状溶着部によって溶着されており、熱移動媒体が流路を流れる際に、該流路が熱移動媒体の圧力によって膨らむことがなく、頭部に被った状態で寝ていても頭部の一部が圧迫されることがない。
【００２８】
さらに、患部の頭部に巻付けるのに適した形状とし、かつ、固定に用いる面ファスナーの横方向の長さを長くすることにより、頭部の大きさにあわせて広範囲な調節が可能となる。
【００２９】
また、後頭部、側頭部、前頭部を分離する境界部分の円状溶着部６は少なくして溶着減少部としたので、全体として円筒状となって、頭部にフィットした状態で装着でき、さらに、装着した状態において、測定用孔が患者の耳の位置と対応した状態となるので、該測定用から鼓膜温度計を挿入して鼓膜温度を計測することが可能になる等の効果を有するものである。
【図面の簡単な説明】
【図１】本発明にかかる頭部用冷加熱袋体の実施の形態を示す展開図である。
【図２】本発明にかかる頭部用冷加熱袋体の装着作業における第一番目の状態を示す斜視図である。
【図３】本発明にかかる頭部用冷加熱袋体の装着作業における第二番目の状態を示す斜視図である。
【図４】本発明にかかる頭部用冷加熱袋体の装着作業における第三番目の状態を示す斜視図である。
【図５】本発明にかかる頭部用冷加熱袋体の装着作業における第四番目の状態を示す斜視図である。
【図６】本発明にかかる頭部用冷加熱袋体の装着作業における第五番目の状態を示す斜視図である。
【符号の説明】
１，２          防水性薄膜フィルム
３              周縁部
４              流路形成部
４ａ            測定用孔
５              流路
５ａ            溶着減少部
６              円状溶着部
７              凸部
８，９          パイプ
１０            分離部
１１            後頭部
１１ａ，１１ｂ  凸部
１１ｃ          面ファスナー
１２            側頭部
１２ａ          凸部
１２ｂ          面ファスナー
１３            側頭部
１３ａ          凸部
１３ｂ          面ファスナー
１４            前頭部
１４ａ          面ファスナー
１５            前頭部
１５ａ          頂頭部
１５ｂ          面ファスナー
１６            ベルト
１６ａ          面ファスナー
【図１】
0003892239.tif 000002
【図２】
0003892239.tif 000003
【図３】
0003892239.tif 000004
【図４】
0003892239.tif 000005
【図５】
0003892239.tif 000006
【図６】
0003892239.tif 000007